(57)【要約】【課題】組み立て式の装飾玩具と、この装飾玩具を備える物品、及びこの装飾玩具を組み立てるキットを提供する。【解決手段】装飾玩具１０は、透明な中空容器１を構成する一対の中空容器片１１，１２と、その内部に配される装飾体２、透明な液体３、細粉４とによって構成される。装飾体は、外縁領域に平坦な係止片部２１を有すると共に、中空容器を構成する一方の中空容器片側と他方の中空容器片側とを連絡する空隙領域２５を形成する形状を有する。装飾体の係止片部は、一方の中空容器片の開口縁部に設けられたへこみ段部１１１と、他方の中空容器片の開口縁部に設けられたと突出段部１２１とによって挟み込まれている。この装飾玩具は、筆記具やキーホルダー等の携行可能な任意の物品Ｍに取り付けるものとしても良い。また、一対の中空容器片と装飾体と細粉と任意の物品とをパッケージＰに収容した組み立てキット１００としても良い。【選択図】図１
2019136056.tif 000002
【特許請求の範囲】
【請求項１】
透明な中空容器と、
前記中空容器の内部に配される装飾体と、
前記中空容器の内部を満たす透明な液体と、
前記中空容器の内部に配される光沢及び／又は色彩を有する細粉と、
を少なくとも備え、
前記装飾体は、外縁の一部に薄厚で平坦な係止片部を有すると共に、当該係止片部を除く外縁領域と前記中空容器の内面との間に、前記中空容器を構成する一方の中空容器片側と他方の中空容器片側とを連絡する空隙領域を形成する形状をし、
前記中空容器は、複数の中空容器片を組み合わせることにより構成され、組み合わされた前記中空容器片によって前記装飾体の係止片部を挟持しつつ、前記装飾体を起立状態に保持すると共に、前記液体の充填を可能とする開口を有する、
ことを特徴とする装飾玩具。
【請求項２】
透明な中空容器と、
前記中空容器の内部に配される装飾体と、
前記中空容器の内部を満たす透明な液体と、
前記中空容器の内部に配される光沢及び／又は色彩を有する細粉と、
を少なくとも備え、
前記装飾体は、外縁に薄厚で平坦な係止片部を有すると共に、前記中空容器を構成する一方の中空容器片側と他方の中空容器片側とを連絡する切欠き領域を有し、
前記中空容器は、複数の中空容器片を組み合わせることにより構成され、組み合わされた前記中空容器片によって前記装飾体の係止片部を挟持しつつ、前記装飾体を起立状態に保持すると共に、前記液体の充填を可能とする開口を有する、
ことを特徴とする装飾玩具。
【請求項３】
前記中空容器は、一対の中空容器片によって構成され、一方の中空容器片の開口縁部にはへこみ段部を備え、他方の中空容器片の開口縁部には突出段部を備え、前記へこみ段部と前記突出段部によって前記装飾体の係止片部を挟持していることを特徴とする請求項１又は２に記載の装飾玩具。
【請求項４】
前記中空容器は、中空容器片の組み合わせ及び分離が可能であることを特徴とする請求項１乃至３の何れか１項に記載の装飾玩具。
【請求項５】
前記装飾体は、外縁部に位置決め突片を備えることを特徴とする請求項１乃至４の何れか１項に記載の装飾玩具。
【請求項６】
請求項１乃至５の何れか１項に記載の装飾玩具を装着したことを特徴とする装飾物品。
【請求項７】
組み合わさることにより透明な中空容器を構成する一対の中空容器片と、
前記中空容器の内部に配される装飾体と、
前記中空容器の内部に配される光沢及び／又は色彩を有する細粉と、
前記中空容器片と前記装飾体と前記細粉とからなる装飾玩具を装着可能とする取付部を備える任意の物品と、
をパッケージに収容して構成された組み立てキットであって、
前記中空容器片は、一方が開口縁部にへこみ段部を、他方が開口縁部に突出段部をそれぞれ有するものであり、
前記装飾体は、外縁の一部に前記中空容器片のへこみ段部と突出段部によって挟持されることとなる薄厚で平坦な係止片部を有すると共に、当該係止片部を除く外縁領域と前記中空容器の内面との間に、前記中空容器を構成する一方の中空容器片側と他方の中空容器片側とを連絡する空隙領域を形成する形状をしている、
ことを特徴とする装飾物品組み立てキット。
【請求項８】
組み合わさることにより透明な中空容器を構成する一対の中空容器片と、
前記中空容器の内部に配される装飾体と、
前記中空容器の内部に配される光沢及び／又は色彩を有する細粉と、
前記中空容器片と前記装飾体と前記細粉とからなる装飾玩具を装着可能とする取付部を備える任意の物品と、
をパッケージに収容して構成された組み立てキットであって、
前記中空容器片は、一方が開口縁部にへこみ段部を、他方が開口縁部に突出段部をそれぞれ有するものであり、
前記装飾体は、外縁に前記中空容器片のへこみ段部と突出段部によって挟持されることとなる薄厚で平坦な係止片部を有すると共に、前記中空容器を構成する一方の中空容器片側と他方の中空容器片側とを連絡する切欠き領域を有する、
ことを特徴とする装飾物品組み立てキット。
【請求項９】
前記中空容器片は、組み合わせて中空容器を構成した状態で液体の充填を可能とする開口を形成する溝部を開口縁部に有し、
前記中空容器の内部に液体の充填をした後の前記開口を閉塞する密栓をさらにパッケージに収容して構成したことを特徴とする請求項７又は８に記載の装飾物品組み立てキット。
【請求項１０】
前記物品は筆記具であることを特徴とする請求項７乃至９の何れか１項に記載の装飾物品組み立てキット。
【発明の詳細な説明】
【技術分野】
【０００１】
本願発明は、透明な中空容器の内部に装飾体を配した装飾玩具と、この装飾玩具を装着した装飾物品、及び装飾物品を簡単に組み立てたり、自分の趣味に応じて仕様を変更したりすることを可能とする装飾物品組み立てキットに関する。
【背景技術】
【０００２】
透明な中空容器の内部に装飾体を配した装飾玩具として、中空容器の内部で装飾体が滑ったり回転したりして移動するものや、中空容器の内面の一部を鏡面化すると共に、中空容器の内部に装飾体を封入した、視覚的変化に富んだ動的な装飾効果を奏するものが種々知られている（たとえば、特許文献１乃至４を参照）。
【０００３】
しかしながら、このような装飾玩具においては、装飾体が中空容器内を移動しているときは全体的に装飾効果が認められるものの、装飾体の動きが止まってしまうと、中空容器の底部付近に装飾体は存在し、中空容器において高さ方向の中間から高い位置は空白状態となり味気なく、装飾効果を認めることができないものとなってしまう。ゆえに、中空容器の内部で装飾体が滑ったり回転したりして移動する装飾玩具の場合、装飾体が中空容器内を移動するように、装飾玩具自体を常に振動させていなければ装飾玩具としての機能が十分に果たすものとすることができない。
【０００４】
また、中空容器の高い位置においても装飾効果を高めるようにすることを目的として、中空容器の内部高さと等しい大きさをした装飾体を中空容器の内部へ配することが考えられる。ところが高さが大きい装飾体は、中空容器の底面へしっかり固定しないと、衝撃等によって底面から離脱し、中空容器の内部で倒伏してしまうおそれがある。しかも、装飾体を中空容器の底面に固定してしまうと、別の装飾体へ交換することが容易にできなくなってしまう。
【先行技術文献】
【特許文献】
【０００５】
【特許文献１】実用新案登録第３０５１７４６号公報
【特許文献２】特許第４１６２９１８号公報
【特許文献３】実用新案登録第３０９９５１９号公報
【特許文献４】特開２００５−５２２２８号公報
【発明の概要】
【発明が解決しようとする課題】
【０００６】
本発明は、上記事情に鑑みて成されたものであり、透明な中空容器の内部に装飾体を配した装飾玩具において、装飾体が中空容器の内部に安定して強固に配されると共に、装飾体を効率良く簡単に交換することを可能とした技術を提供することを目的とする。
【課題を解決するための手段】
【０００７】
本発明の装飾玩具は、透明な中空容器と、前記中空容器の内部に配される装飾体と、前記中空容器の内部を満たす透明な液体と、前記中空容器の内部に配される光沢及び／又は色彩を有する細粉とを少なくとも備え、前記装飾体は、外縁の一部に薄厚で平坦な係止片部を有すると共に、当該係止片部を除く外縁領域と前記中空容器の内面との間に、前記中空容器を構成する一方の中空容器片側と他方の中空容器片側とを連絡する空隙領域を形成する形状をし、前記中空容器は、複数の中空容器片を組み合わせることにより構成され、組み合わされた前記中空容器片によって前記装飾体の係止片部を挟持しつつ、前記装飾体を起立状態に保持すると共に、前記液体の充填を可能とする開口を有することを特徴とする。
【０００８】
また、本発明の他の装飾玩具は、透明な中空容器と、前記中空容器の内部に配される装飾体と、前記中空容器の内部を満たす透明な液体と、前記中空容器の内部に配される光沢及び／又は色彩を有する細粉とを少なくとも備え、前記装飾体は、外縁領域に薄厚で平坦な係止片部を有すると共に、前記中空容器を構成する一方の中空容器片側と他方の中空容器片側とを連絡する切欠き領域を有し、前記中空容器は、複数の中空容器片を組み合わせることにより構成され、組み合わされた前記中空容器片によって前記装飾体の係止片部を挟持しつつ、前記装飾体を起立状態に保持すると共に、前記液体の充填を可能とする開口を有することを特徴とする。
【０００９】
本発明の各装飾玩具において、中空容器は、一対の中空容器片によって構成され、一方の中空容器片の開口縁部にはへこみ段部を備え、他方の中空容器片の開口縁部には突出段部を備え、装飾玩具は、へこみ段部と突出段部によって装飾体の係止片部を挟持しているものとなっている。
また、本発明の装飾玩具において、中空容器は、中空容器片の組み合わせ及び分離が可能であるものとしても良い。
【００１０】
本発明の各装飾玩具において、装飾体は、外縁部に位置決め突片を備えるものとすると良い。
このような本発明の装飾玩具は、たとえば、載置台やキーホルダー、筆記具などに装着して装飾物品とすることができる。
【００１１】
また、本発明の装飾物品組み立てキットは、組み合わさることにより透明な中空容器を構成する一対の中空容器片と、前記中空容器の内部に配される装飾体と、前記中空容器の内部に配される光沢及び／又は色彩を有する細粉と、前記中空容器片と前記装飾体と前記細粉とからなる装飾玩具を装着可能とする取付部を備える任意の物品と、をパッケージに収容して構成された組み立てキットであって、前記中空容器片は、一方が開口縁部にへこみ段部を、他方が開口縁部に突出段部をそれぞれ有するものであり、前記装飾体は、外縁の一部に前記中空容器片のへこみ段部と突出段部によって挟持されることとなる薄厚で平坦な係止片部を有すると共に、当該係止片部を除く外縁領域と前記中空容器の内面との間に、前記中空容器を構成する一方の中空容器片側と他方の中空容器片側とを連絡する空隙領域を形成する形状をしていることを特徴とする。
【００１２】
また、本発明の他の装飾物品組み立てキットは、組み合わさることにより透明な中空容器を構成する一対の中空容器片と、前記中空容器の内部に配される装飾体と、前記中空容器の内部に配される光沢及び／又は色彩を有する細粉と、前記中空容器片と前記装飾体と前記細粉とからなる装飾玩具を装着可能とする取付部を備える任意の物品と、をパッケージに収容して構成された組み立てキットであって、前記中空容器片は、一方が開口縁部にへこみ段部を、他方が開口縁部に突出段部をそれぞれ有するものであり、前記装飾体は、外縁に前記中空容器片のへこみ段部と突出段部によって挟持されることとなる薄厚で平坦な係止片部を有すると共に、前記中空容器を構成する一方の中空容器片側と他方の中空容器片側とを連絡する切欠き領域を有する、ことを特徴とする。
【００１３】
本発明の各装飾物品組み立てキットにおいて、中空容器片は、組み合わせて中空容器を構成した状態で液体の充填を可能とする開口を形成する溝部を開口縁部に有し、前記中空容器の内部に液体の充填をした後の前記開口を閉塞する密栓をさらにパッケージに収容して構成したものとなっている。
このような装飾物品組み立てキットにおいてパッケージに収容される物品は、筆記具とすることができる。
【発明の効果】
【００１４】
本発明の装飾玩具は、透明な中空容器の内部に、装飾体と、透明な液体と、光沢や色彩を有する細粉とが配されたものとなっている。ゆえに、装飾玩具を振動させることで、細粉が中空容器の底部より舞い上がり、中空容器の内部を流動する液体によってゆっくりと漂い落ちることによって、視覚的変化に富んだ動的な装飾効果が認められるものとなっている。
【００１５】
また、本発明の装飾玩具は、組み合わされた中空容器片によって装飾体を起立状態に保持するものとなっている。ゆえに、中空容器において高さ方向の低い位置から中間、及び高い位置と装飾体を視認することができ、中空容器を振動させて細粉を舞い上がらせなくても、常に全体的に装飾効果が認められものとなっている。
【００１６】
また、本発明の装飾玩具は、組み合わされることで中空容器を構成する複数の中空容器片同士によって装飾体の係止片部を挟持するものとなっている。ゆえに、中空容器片同士によって係止片部が挟持された装飾体は、衝撃等によって中空容器の内面から離脱し、倒伏してしまうことなく、安定して強固に配されるものとなっている。しかも、非常に簡単かつ容易な構成によって中空容器の内部に装飾体を起立状態に配することができるものとなっている。
【００１７】
また、本発明の装飾物品は、上述した本発明の装飾玩具を載置台やキーホルダー、筆記具などに装着したものとなっている。ゆえに、スノーグローブのような置物や、携行（携帯）や使用による振動によって装飾効果が認められた物品とすることができる。
【００１８】
さらに、本発明の装飾物品組み立てキットは、上述した本発明の装飾物品を作り上げるのに必要な部材をまとめてパッケージにしたものとなっている。ゆえに、装飾物品を効率良く、簡単かつ容易に自ら作り上げることができる。
【図面の簡単な説明】
【００１９】
【図１】本発明に係る装飾玩具を示す正面図である。
【図２】本発明に係る装飾玩具の中空容器を構成する（Ａ）組み合わせ前の中空容器片を示す側面図、（Ｂ）組み合わせ前の中空容器片の内面を正面に向けた状態を示す図である。
【図３】図２に示す中空容器片を組み合わせた状態を示す底面図である。
【図４】本発明に係る装飾玩具の装飾体を示す正面図である。
【図５】図２に示す中空容器片と、図４に示す装飾体とを組み合わせる状態を示す展開図である。
【図６】図２に示す中空容器片と、図４に示す装飾体とを組み合わせた状態を示す（Ａ）正面図、（Ｂ）側面図である。
【図７】本発明に係る装飾玩具の他の装飾体を示す正面図である。
【図８】図２に示す中空容器片と、図７に示す装飾体とを組み合わせた状態を示す正面図である。
【図９】本発明に係る装飾玩具の他の装飾体を示す正面図である。
【図１０】本発明に係る装飾玩具の他の装飾体を示す正面図である。
【図１１】本発明に係る装飾玩具を取り付けた装飾物品を示す正面図である。
【図１２】本発明に係る装飾玩具を取り付けた他の装飾物品を示す正面図である。
【図１３】本発明に係る装飾玩具を取り付けた他の装飾物品を示す（Ａ）不使用時の正面図、（Ｂ）使用時の正面図である。
【図１４】本発明に係る装飾物品を組み立てる装飾物品組み立てキットを示す正面図である。
【発明を実施するための形態】
【００２０】
以下、本発明に係る装飾玩具、装飾玩具を装着した装飾物品、及び装飾物品組み立てキットの実施の形態の一例について、図面に基づき説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２１】
図１に示すように、本実施の形態における装飾玩具１０は、中空容器１と、装飾体２と、液体３と、細粉（パウダー）４とを少なくとも備え、中空容器１の内部に、装飾体２と液体３と細粉４とが配されたものとなっている。また、装飾玩具１０は、中空容器１の内部に液体３と細粉４とを充填した後の開口１５を閉塞する密栓５を備えるものとなっている。
【００２２】
中空容器１は、上述のように内部に装飾体２と液体３と細粉４とを収容することができると共に、収容した装飾体２と液体３と細粉４とを外部より視認することができる透明性を有する部材である。
【００２３】
ここで、本発明において透明性を有するとは、全体的かつ無色であるものに限定されず、内部に収容したものが透けて見ることが出来れば、半透明のものや、部分的に不透明であるもの、部分的に着色されたものも含む。ゆえに、中空容器１は、全体的に無色透明なもののほか、たとえば、ブルーやピンク、イエロー等に薄く着色された半透明のものであっても、部分的に模様等が施された不透明な個所を有するものであっても良い。
【００２４】
また、中空容器１は、内部に収容したものが透けて見ることが出来れば、内面や外面に凹凸を有するものであっても良い。ゆえに、凹凸によって模様等が施されたものや、さらに凹凸に着色したものであっても良い。
【００２５】
この中空容器１は、複数の中空容器片を組み合わせることにより構成され、内部に装飾体２等を収容することができるものであれば、形状は特に限定されない。ゆえに、中空容器１は、球形、卵形、ハート形、星形、円筒状形、角柱形、など何れも形状であっても構わない。
また、中空容器１は、内面の形状と外面の形状とが同一であるものに限定されない。ゆえに、中空容器１は、たとえば、内面が球形で、外面が矩形をしたものであっても良いし、内面がハート形で、外面が球形をしたものであっても良い。
【００２６】
本実施の形態において中空容器１は、たとえば図２及び図３に示すように、一対の半球状をした中空容器片１１，１２によって構成される球形をしたものとすることができる。
図２において中空容器１は、内面の形状と外面の形状とが共に同じ球形をしたものとして示されている。
以下、本実施の形態においては、内面の形状と外面の形状とが共に同じ球形をした一対の半球状をした中空容器片１１，１２によって構成される球形をした中空容器１を用いる装飾玩具１０を例として説明する。
【００２７】
また、中空容器１は、一方の中空容器片１１の開口縁部にへこみ段部１１１を備え、他方の中空容器片１２の開口縁部に突出段部１２１を備える。この中空容器１は、これらへこみ段部１１１と突出段部１２１とが嵌合することにより、一方の中空容器片１１と他方の中空容器片１２とが一体物となり、球形をした中空容器１を構成する。
【００２８】
ここで、図２（Ｂ）に示すように、へこみ段部１１１の外径をＤ１、同内径をＤ２とし、突出段部１２１の外径をＤ３、同内径をＤ４として、へこみ段部１１１と突出段部１２１の関係を詳しく説明すると、たとえば、以下のようになる。
へこみ段部１１１の外径Ｄ１は、突出段部１２１の外径Ｄ３より僅かに大きい大きさである（Ｄ１＞Ｄ３）。これにより、へこみ段部１１１の外径面と突出段部１２１の外径面とが圧接した状態で嵌合し、中空容器１において内部に配した液体３が漏れることのないものとなっている。
【００２９】
また、へこみ段部１１１の内径Ｄ２は、突出段部１２１の内径Ｄ４と等しい大きさをしたものである（Ｄ２＝Ｄ４）。これにより、中空容器１において内部に配した液体３や細粉４が滑らかに対流し、視覚的変化に富んだ奇麗な動的な装飾効果が認められるものとなっている。
【００３０】
さらに、突出段部１２１の外径Ｄ３は、へこみ段部１１１の内径Ｄ２より大きい大きさをしたものである（Ｄ３＞Ｄ２）。これにより、中空容器１は、組み合わされた中空容器片１１，１２のへこみ段部１１１と突出段部１２１とによって、後述する装飾体２の係止片部２１を挟持しつつ、中空容器１の内部において装飾体２を起立状態に保持するものとなっている。
【００３１】
また、中空容器１は、一対の中空容器片１１，１２の組み合わせ及び分離が可能であるものとすると望ましい。これにより、中空容器１の内部に既に配されている装飾体２を、効率良くかつ簡単に他の装飾体２へ交換することが可能となり、様々な装飾を施すことができるものとなる。
【００３２】
また、図３に示すように、中空容器１は、液体３の充填を可能とする開口１５をさらに有する。すなわち、図２（Ｂ）に示すように、中空容器片１１，１２は、組み合わせて中空容器１を構成した状態で、液体３や細粉４の充填を可能とする開口１５を形成する溝部１５１を開口縁部にそれぞれ備える。この開口１５は、たとえば、装飾玩具１０において外部から視認し難い、中空容器１の底面などの不可視面に設けると良い。
【００３３】
このような中空容器１（一対の中空容器片１１，１２）は、たとえば、高い透明性と耐衝撃性があり、着色が容易なアクリル樹脂などの合成樹脂を用いて成形することができる。
なお、中空容器１は、内部に配した液体３が漏れることのないように、へこみ段部１１１と突出段部１２１との嵌合を、接着剤等を用いて固着してなるものとしても良い。
【００３４】
装飾体２は、中空容器１の内部に配して外部より視認した際に装飾的効果を高める部材であって、全体形状は円形やハート形、多角形、星形など任意の形状で構わない。また、装飾体２は、装飾が施された平面体であっても、人形（フィギア）のように立体であっても構わない。
図４に示すように、この装飾体２Ａは、中空容器１の内部において安定して保持されるように、外縁の一部に薄厚で平坦な係止片部２１を複数有する。この係止片部２１は、図５及び図６に示すように、組み合わされる一対の中空容器片１１，１２の開口縁部に設けられたへこみ段部１１１と突出段部１２１とによって挟持されるものとなる。
【００３５】
ここで、係止片部２１について説明すると、たとえば、以下のようになる。
図４において、装飾体２Ａは、外縁における図示上辺と下辺がそれぞれ外方に向かって凸となる丸みを帯びた弧状をしたものとして示されている。この装飾体２Ａは、中空容器１の内部に装飾体２Ａを配した際に、外縁部における上辺と下辺が中空容器片１１のへこみ段部１１１に引っ掛かり、中空容器片１２の突出段部１２１によって挟持される係止片部２１となる。
【００３６】
具体的には、装飾体２Ａは、一方の外縁部から中心部Ｏを通って他方の外縁部へと達する最長距離（長さ）Ｌ１が、中空容器片１１のへこみ段部１１１の外径Ｄ１より小さく、かつ、へこみ段部１１１の内径Ｄ２より大きいものとなっている（Ｄ１＞Ｌ１＞Ｄ２）。ゆえに、装飾体２Ａは中空容器片１１のへこみ段部１１１内に効率良く簡単に収まり、中空容器片１２が組み合わさることで、係止片部２１が突出段部１２１によって挟持され、安定して強固に保持されたものとなっている。
【００３７】
また、装飾体２は、たとえば、図６に示すように、中空容器１を構成する一方の中空容器片１１側と他方の中空容器片１２側とを連絡する空隙（間隙）領域２５を形成する形状をしたものとすることができる。この空隙領域２５は、一対の中空容器片１１，１２が組み合わされた中空容器１において、液体３や細粉４の往来が可能となる通路として機能するものである。
【００３８】
ここで、空隙領域２５について説明すると、たとえば、以下のようになる。
図４において、装飾体２Ａは、図示左右辺が何れも直線状をしたものとして示されている。この装飾体２Ａは、中空容器１の内部に装飾体２Ａを配した際、左右辺の各外縁領域αの外側と中空容器１の内面との間に、空隙領域２５が形成される形状となっている。ゆえに、一緒に配された液体３や細粉４は、中空容器１を構成する一方の中空容器片１１側から装飾体２Ａの左右に形成された空隙領域２５を介して他方の中空容器片１２側へ（もしくは、他方の中空容器片１２側から空隙領域２５を介して一方の中空容器片１１側へ）と自由に流動的に漂い落ちることができ、視覚的変化に富んだ動的な装飾効果が認められるものとなる。
【００３９】
また、図７及び図８に示すように、装飾体２Ｂは、たとえば、空隙領域２５が、図示上辺と左右辺の各外縁領域βの外側と中空容器１の内面との間に形成される形状をしたものとしても良い。
図７及び図８において、装飾体２Ｂは、外縁における図示上辺の左右部分と下辺がそれぞれ外方に向かって凸となる丸みを帯びた弧状をし、係止片部２１を備えるものとなると共に、図示上辺の中央部分と左右辺が何れも直線状をしたものとして示されている。
【００４０】
このような形状の装飾体２Ｂにおいて液体３や細粉４は、中空容器１を構成する一方の中空容器片１１側から装飾体２Ｂの上部と左右側部に形成された空隙領域２５を介して他方の中空容器片１２側へ（もしくは、他方の中空容器片１２側から空隙領域２５を介して一方の中空容器片１１側へ）と自由に流動的に漂い落ちるものとなる。
【００４１】
さらに、図９及び図１０に示すように、装飾体２Ｃ，２Ｄは、たとえば、中空容器１を構成する一方の中空容器片１１側と他方の中空容器片１２側とを連絡する切欠き領域２２を有するものとすることができる。この切欠き領域２２は、上述した空隙領域２５と同様に、液体３や細粉４の往来が可能となる通路として機能する。
【００４２】
図９において、装飾体２Ｃは、外周縁全体に係止片部２１を備え、内部領域に扇状をした切欠き領域２２が上下左右に均等に４つ設けられた全体形状が円形をしたものとして示されている。
また、図１０において、装飾体２Ｄは、外周縁全体に係止片部２１を備え、内部領域に縦長スリット状をした切欠き領域２２が左右方向に４つ並列して設けられた全体形状が円形をしたものとして示されている。
【００４３】
また、装飾体２は、図４、図７、図９及び図１０示すように、係止片部２１となる外縁部に位置決め突片２３を備えるものとしても良い。この位置決め突片２３は、たとえば、中空容器１の開口１５が底面に設けられている場合、図５に示すように、中空容器１を構成する中空容器片１１に形成された溝部１５１に配されるものとすることができる。これにより、位置決め突片２３が溝部１５１の段差に引っ掛かり、装飾玩具１０の使用時による振動等によって装飾体２の向きが変わってしまうことを防ぐことができる。
【００４４】
なお、装飾体２は、単に平面体や立体であるだけでなく、太陽光や蛍光灯の光を吸収し、暗いところで自然発光する蓄光機能をさらに有するものとしても良い。これにより、装飾的効果をより一層高めるものとすることができる。
【００４５】
液体３は、中空容器１の内部を満たす透明性を有する部材である。
ここで、本発明において透明性を有するとは、全体的かつ無色であるものに限定されず、内部に収容した装飾体２や細粉４が透けて見ることが出来れば、半透明に着色されたものも含む。このような液体３としては、たとえば、水（精製水）、グリセリン、海面活性剤や糊やアルコールを含む水などを用いることができる。
【００４６】
細粉４は、中空容器１の内部に配される光沢及び／又は色彩を有する装飾的効果を高める、いわゆるパウダーやラメと称される部材である。このような細粉４は、液体３中をゆっくりと漂いながら舞い落ちる小さくて軽量であるものが望ましい。
また、細粉４は、たとえば、細断したシートや、卵の殻を小さく砕いた細片などであっても良い。
【００４７】
このような装飾玩具１０は、たとえば、図１１乃至図１３に示すように、載置台ＢやホルダーＨ、筆記具Ｗなど、所望の物品に取り付けて装飾物品とすることができる。
図１１において、取付部５１を有する載置台Ｂに装飾玩具１０を装着した置物（スノーグローブ）としての装飾物品が示されている。この載置台Ｂには、オルゴールなどの発音手段を仕込んでおいても良い。
【００４８】
また、図１２において、取付部５１を有するホルダーＨに装飾玩具１０を装着すると共に、鍵Ｋを取り付けた携行物品（キーホルダー）としての装飾物品が示されている。このホルダーＨには、取付部５１にＬＥＤなどの照明手段を仕込むものとしても良い。
【００４９】
さらに、図１３において、取付部５１を有する筆記具Ｗに装飾玩具１０を装着した携帯物品としての装飾物品が示されている。この筆記具Ｗは、図１３（Ｂ）において一点鎖線矢印で示すように、取付部５１を回転させることでペン先が露出させるものとすることができる。
【００５０】
また、このような装飾玩具１０は、組み合わさることにより透明な中空容器１を構成する一対の中空容器片１１，１２と、中空容器１の内部に配される装飾体２と、中空容器１の内部に配される光沢及び／又は色彩を有する細粉４と、中空容器片１１，１２と装飾体２と細粉４とからなる装飾玩具１０を装着可能とする取付部５１を備える筆記具など任意の物品ＷとをパッケージＰに収容して構成された装飾物品組み立てキット１００とすることができる。
また、装飾物品組み立てキット１００には、中空容器１の内部に液体３の充填をした後の開口１５を閉塞する密栓５がさらに含まれている。
【００５１】
この装飾物品組み立てキット１００を用いて装飾玩具１０を組み立てる場合、たとえば、次のように行うことができる。
まず、一方の中空容器片１１の内面が露呈するように、へこみ段部１１１を上方に向けて準備する。
【００５２】
次に、一方の中空容器片１１に形成された溝部１５１内に装飾体２の位置決め突片２３が位置するように合わせると共に、へこみ段部１１１に係止片部２１が係止されて収容されるように装飾体２を配する。
引き続き、へこみ段部１１１と突出段部１２１とが嵌合するように、一方の中空容器片１１に対して他方の中空容器片１２を被せ、へこみ段部１１１と突出段部１２１によって装飾体２の係止片部２１を挟み込んで中空容器１を組み立てる。
【００５３】
次に、中空容器１に設けられた開口１５を上方に向け、この開口１５を介して内部に液体３及び細粉４を充填し、その後、密栓５を用いて開口１５を閉塞することで、装飾玩具１０とする。なお、細粉４は、一対の中空容器片１１，１２を組み合わせる前の工程において装飾体２と共に予め充填しておくものとしても良い。
そして、この装飾玩具１０を、筆記具Ｗの後端部に設けられた取付部５１へ装着し、図１３において示された装飾物品とすることができる。
【００５４】
このように、本発明の装飾物品を作り上げるのに必要な部材をまとめてパッケージにした装飾物品組み立てキット１００とすることで、装飾物品を効率良く、簡単かつ容易に、自らの好みに応じて楽しみながら作り上げることができる。
【符号の説明】
【００５５】
α，β  外縁領域、Ｂ  載置台、Ｈ  ホルダー、Ｋ  鍵、Ｐ  パッケージ、Ｗ  筆記具、１  中空容器、２（２Ａ，２Ｂ，２Ｃ，２Ｄ）  装飾体、３  液体、４  細粉、５  密栓、１０  装飾玩具、１１，１２  中空容器片、１５  開口、２１  係止片部、２２  切欠き領域、２３  位置決め突片、２５  空隙領域、５１  取付部、１００  装飾玩具組み立てキット、１１１  へこみ段部、１２１  突出段部、１５１  溝部。
【図１】
2019136056.tif 000003
【図２】
2019136056.tif 000004
【図３】
2019136056.tif 000005
【図４】
2019136056.tif 000006
【図５】
2019136056.tif 000007
【図６】
2019136056.tif 000008
【図７】
2019136056.tif 000009
【図８】
2019136056.tif 000010
【図９】
2019136056.tif 000011
【図１０】
2019136056.tif 000012
【図１１】
2019136056.tif 000013
【図１２】
2019136056.tif 000014
【図１３】
2019136056.tif 000015
【図１４】
2019136056.tif 000016